(57)【特許請求の範囲】
【請求項１】
天板（１）、両内側面板（２、２）、前後側面板（３、３）、底板（５）からなる紙箱容器において、前記天板（１）と前記両内側面板（２、２）との前端部側の領域にそれぞれ切離線（９、１０、１０）が互いに接続して設けられ、前記天板（１）の切離線（９）は、前記後側面板側に凸となる半円形の曲線部と、前記曲線部の左右に前記前側面板と平行に設けられた直線部とを有し、前記底板（５）に前記両内側面板（２、２）の切離線（１０、１０）に接続して直線ヒンジ折目（１１）が設けられ、前記両内側面板（２、２）の幅をＴ、前記天板（１）の切離線（９）両端と前記両内側面板（２、２）の切離線（１０、１０）との接続点をＰ、前記直線ヒンジ折目（１１）両端と前記両内側面板（２、２）の切離線（１０、１０）との接続点をＯ、接続点ＰＯ間の距離をＲとしたとき、Ｔ、ＲがＴ＜Ｒの関係となり、且つ接続点Ｐが接続点Ｏより前端部側に位置するように設定され、前記天板（１）上面の切離線（９）より前端部側を貼着領域とし、後端部側を非貼着領域として、外側面板（６）を介して前記底板（５）に連設された蓋板（７）が、前記貼着領域を完全に覆うように貼着され、前記両内側面板（２、２）外面の切離線（１０、１０）より前端部側の領域に、前記蓋板（７）の両側に連設された両蓋側面板（７ａ、７ａ）が貼着されていて、前記非貼着領域上にある前記蓋板（７）の端部を引っ張ることにより、前記蓋板（７）が貼着された前記天板（１）の前記貼着領域が切離線（９）を介し、且つ前記両内側面板（２、２）が切離線（１０、１０）を介してそれぞれ切り離され、前記底板（５）の前記直線ヒンジ折目（１１）を介して開封でき且つ前記蓋板（７）がその内面を接続点Ｐに接触して開閉可能であり、前記直線ヒンジ折目（１１）が直角に折り曲げられた状態において、前記蓋板（７）及び前記両蓋側面板（７ａ、７ａ）の前記後側面板側の端部が、前記天板（１）より上方に位置することを特徴とする紙箱容器。
【発明の詳細な説明】
【０００１】
【産業上の利用分野】
本発明は、チョコレート、ビスケット等のスティク形状の菓子をはじめ、生活用品としてのステック形状の各種物品を包装するのに好適な紙箱容器に関する。
【０００２】
【従来の技術】
一般に、チョコレート、ビスケット等のスティク形状の菓子や、ステック形状の各種物品を包装するための紙箱としては各種形態の紙箱があるが、外観的に平滑であり、しかも意匠的にも凹凸の無い綺麗な平坦な形状のものが殆どであり、その代表的な包装用紙箱としては、例えばチョコレート包装用紙箱等がある。
【０００３】
ところで、近年、廃棄物等の環境問題が深刻化し、地球環境に優しい廃棄処理やリサイクル対策が打ち出される方で、社会生活環境に対する対策として、人間に優しい生活環境を創るために、バリアフリーやユニバーサルデザインといった対策も打ち出されるようになってきている。
【０００４】
【発明が解決しようとする課題】
本発明は、バリアフリーやユニバーサルデザインの志向を配慮した紙箱であって、容器開封性が良好で、しかもチョコレート、ビスケット等のスティク形状等の菓子をはじめ、各種生活用品としてのステック形状等の物品を包装するのに好適な紙箱容器を提供することにある。
【０００５】
【課題を解決するための手段】
本発明の請求項１に係る発明は、天板１、両内側面板２、２、前後側面板３、３、底板５からなる紙箱容器において、前記天板１と前記両内側面板２、２との前端部側の領域にそれぞれ切離線９、１０、１０が互いに接続して設けられ、前記天板１の切離線９は、前記後側面板側に凸となる半円形の曲線部と、前記曲線部の左右に前記前側面板と平行に設けられた直線部とを有し、前記底板５に前記両内側面板２、２の切離線１０、１０に接続して直線ヒンジ折目１１が設けられ、前記両内側面板２、２の幅をＴ、前記天板１の切離線９両端と前記両内側面板２、２の切離線１０、１０との接続点をＰ、前記直線ヒンジ折目１１両端と前記両内側面板２、２の切離線１０、１０との接続点をＯ、接続点ＰＯ間の距離をＲとしたとき、Ｔ、ＲがＴ＜Ｒの関係となり、且つ接続点Ｐが接続点Ｏより前端部側に位置するように設定され、前記天板１上面の切離線９より前端部側を貼着領域とし、後端部側を非貼着領域として、外側面板６を介して前記底板５に連設された蓋板７が、前記貼着領域を完全に覆うように貼着され、前記両内側面板２、２外面の切離線１０、１０より前端部側の領域に、前記蓋板７の両側に連設された両蓋側面板７ａ、７ａが貼着されていて、前記非貼着領域上にある前記蓋板７の端部を引っ張ることにより、前記蓋板７が貼着された前記天板１の前記貼着領域が切離線９を介し、且つ前記両内側面板２、２が切離線１０、１０を介してそれぞれ切り離され、前記底板５の前記直線ヒンジ折目１１を介して開封でき且つ前記蓋板７がその内面を接続点Ｐに接触して開閉可能であり、前記直線ヒンジ折目１１が直角に折り曲げられた状態において、前記蓋板７及び前記両蓋側面板７ａ、７ａの前記後側面板側の端部が、前記天板１より上方に位置することを特徴とする紙箱容器である。
【０００７】
【発明の実施の形態】
本発明の紙箱容器を、実施の形態に従って以下に詳細に説明する。
図１は、本発明の紙箱容器の板紙（厚紙）製の組立用ブランクシートであり、必要に応じてその板紙表面又は裏面又は両面に樹脂フィルム層若しくは樹脂コーティング層を備えるものである。
【０００８】
このブランクシートは、天板１の両側に折目ａ、ａを介して各々側面板２、２が連設されていて、該天板１の前後には折目ｂ、ｂを介して各々内側面板３、３が連設され、各々内側面板３には、必要に応じて折目ｃ、ｃを介して各々差込板４、４が連設され、前記各々側面板２、２の前後には、折目ｉを介し各々フラップ板２ａが連設されている。
【０００９】
一方の側面板２には、折目ｄを介して底板５が連設され、該底板５の前後には折目ｅを介して各々外側面板６、６が連設され、一方の該外側面板６（図面下方の外側面板６）の両側には、必要に応じてＵ字状の切込片６ａ（使用後の箱解体を容易にするためのもの）を設け、もう一方の外側面板６（図面上方の外側面板６）には折目ｆを介して蓋板７と、該蓋板７の両側に折目ｇ、ｇを介して各々蓋側面板７ａ、７ａがそれぞれ連設され、また他方の側面板２の外側には折目ｈを介して貼着板８が連設されている。
【００１０】
前記天板１の前端部側の領域に、切離線９が刻切して設けられ、該切離線９の両端に接続して、両内側面板２、２の前端部側の領域に、それぞれ切離線１０、１０が刻切して設けられている。
【００１１】
前記底板５には、内側面板２の前記一方の切離線１０の一端部に接続して、折目ｅに平行な直線ヒンジ折目１１が設けられ、前記貼着板８には、内側面板２の前記他方の切離線１０の一端部に接続して、折目ｂ、ｉに平行な直線ヒンジ折目１２が設けられている。
【００１２】
以上が本発明の紙箱容器の組立用ブランクシートの構造であり、このシートから紙箱容器を組立形成する場合は、各折目を順に折り曲げて箱型に組立形成されるが、その折り曲げ貼着順序は、その組立を容器内に固形内容物を装填せずに行う場合と装填して行う場合とで異なり、本発明においては特に限定されない。
【００１３】
例えば、一例としては、図１、まずシートの各々折目ａ、ａ、ｄ、ｈを介して天板１、内側面板２、２、底板５、貼着板８を同一方向に折り曲げ、底板５の端部内面に貼着板８を重ね合わせて貼着し角筒体を形成する。
【００１４】
次に各折目ｉ、ｂ、ｃを同一方向に折り曲げて、必要に応じて設けた差込板４を前記角筒体内に差し込んだ後、各折目ｅ、ｆ、ｇを同一方向に折り曲げて、各々内側面板３外面に外側面板６、６内面（外側面板６に切込片６ａを設けた場合には、その切込片６ａ内面）を貼着し、蓋板７を天板１上面に重ね合わせ、蓋板７の内面を天板１の前端部側の領域に刻切した切離線９と折目ｂとで囲まれる領域内の上面に貼着する。
【００１５】
そして、蓋板７の両側にある各蓋側面板７ａ、７ａを、各内側面板２、２の前端部側の領域に刻切した切離線１０と折目ｉとで囲まれる領域内の外面に貼着する。
【００１６】
これにより、図２に示すように、天板１、両内側面板２、２、前後側面板３、３、底板５からなる直方体形状又は偏平直方体形状の本発明の紙箱容器が組立形成される。
【００１７】
図２に示すように、本発明の紙箱容器は、前記天板１と両内側面板２、２との前端部側の領域に、それぞれ切離線９、１０、１０が互いに接続して設けられており、底板５には、内側面板２の各切離線１０に接続して、直線ヒンジ折目１１が設けられている。
【００１８】
前記天板１上面には、蓋板７が前記切離線９より前端部側を貼着領域とし後端部側を非貼着領域として貼着され、前記両内側面板２、２外面の前記切離線１０より前端部側領域内には、前記蓋板７両側に連設した各蓋側面板７ａ、７ａが貼着されている。
【００１９】
なお、図１のブランクシート平面図において、折目ｆを介して連設されている蓋板７とその両側の蓋側面板７ａ、７ａは、そのブランクシートの折目ｆから切り離された別体の蓋板７、蓋側面板７ａ、７ａを用いるブランクシートとして構成してもよい。
【００２０】
その場合は、蓋板７、蓋側面板７ａ、７ａの無いブランクシートから、前述したようにして紙箱容器を組立形成した後に、蓋板７、蓋側面板７ａ、７ａからなる別体の折り曲げシートを、前述した図２に示す紙箱容器の定位置に配置し、前述した貼着領域と非貼着領域に基づいて貼着して取り付けて、本発明の紙箱容器として組立形成してもよい。
【００２１】
本発明の紙箱容器は、図２に示す閉封状態において、非貼着領域にある蓋板７の端部（天板１後端側を向く蓋板７の非貼着端部）を引っ張ることにより、蓋板７と貼着している領域の天板１が切離線９を介して切り離される。また内側面板２、２が各切離線１０、１０を介してそれぞれ切り離されて、紙箱容器は、図３に示すように、底板５の直線ヒンジ折目１１を介して開封される。またヒンジ折目１１を介して閉鎖でき、開閉可能となる。
【００２２】
本発明の紙箱容器は、図１に示すように、前記内側面板２、２の幅をＴ、切離線９両端と各切離線１０、１０の接続点をＰ、直線ヒンジ折目１１両端と各切離線１０、１０の接続点をＯ、接続点ＰＯ間の距離をＲとしたとき、Ｔ、Ｒが僅かにＴ＜Ｒの関係となるように設定することにより、図３に示すように、ヒンジ折目１１を介して紙箱容器を開封した際に、開閉する蓋板７は、ＲがＴよりも僅かに大きいため、その内面を天板１と内側面板２、２との作る直角角隅端部（接続点Ｐ相当部）に一旦接触させて全開乃至閉鎖することになり、開封状態の保持、及び閉鎖状態の保持を可能として開閉することができる。
【００２３】
本発明の紙箱容器は、図２に示すように、紙箱容器の上面が天板１と蓋板７との境界部分（及び内側面板２と蓋側面板７ａとの境界部分）に、天板１（又は内側面板２）に対して蓋板７（又は蓋側面板７ａ）の厚さｔだけ僅かに高い段差７ｂを備えており、天板に開封用の切離線を備えた従来の形式の紙箱のように、天板１と蓋板７とが段差のない同一平坦面を呈するものとは異なり、紙箱容器に手指で触れることにより、触覚により段差７ｂ部分を容器の開封個所として判別することがきる。
【００２４】
【発明の効果】
本発明の紙箱容器は、スティク形状やブロック形状等のチョコレートやビスケット等の菓子類をはじめ、各種生活用品等の物品を包装するのに好適な紙箱容器を提供することができるものであり、紙を主体とする容器であるため、廃棄処理やリサイクル処理が容易な地球環境に優しい容器であり、また外観的にも良好な意匠性が得られ、また紙箱容器の蓋板を引っ張り上げることにより容易に開封できるため開封性が良好である。
【００２５】
また本発明の紙箱容器は、開封個所を触覚により識別することもでき、バリアフリーやユニバーサルデザインを配慮した人間に優しい生活環境を創るための紙箱容器として効果的である。
【図面の簡単な説明】
【図１】本発明の紙箱容器の組立用ブランクシートの平面図。
【図２】本発明の紙箱容器の外観斜視図。
【図３】本発明の紙箱容器の開封状態における外観斜視図。
【符号の説明】
ａ〜ｉ…折目
１…天板  ２…内側面板  ２ａ…フラップ板  ３…前後側面板  ４…差込板
５…底板６…外側面板  ７…蓋板  ７ａ…蓋側面板  ８…貼着板  ９…切離線
１０…切離線  １１、１２…ヒンジ折目
Ｏ、Ｐ…接続点  Ｒ…ＯＰ間の距離  Ｔ…内側面板の幅
【図１】
0004055111.tif 000002
【図２】
0004055111.tif 000003
【図３】
0004055111.tif 000004